(57)【要約】【課題】本発明は、圧接コンタクトに関し、従来の圧接コンタクトにおいてはケーブル圧接時の負荷で、コンタクト部分がハウジングに干渉するおそれがあり、電気的接続が不確実になることが課題であって、それを解決することである。【解決手段】一対の圧接用刃が並設されている圧接部と、前記圧接部の下位置に延設されるとともに圧接用コネクタのハウジングの圧入部に圧入される絶縁体圧入部と、前記絶縁体圧入部の下位置から下部に向けて突出される接触部とからなる圧接コンタクトにおいて、前記接触部に適宜間隔を設けて前記絶縁体圧入部の下端部から突出され、前記圧接用コネクタにおける接触部収納用の凹部の底面に当該圧接コンタクトの実装時において当接する保持面を有してなる主保持部が突設されてなる圧接コンタクト１とする。【選択図】図１−Ａ
2014203568.tif 000002
【特許請求の範囲】
【請求項１】
一対の圧接用刃が並設されている圧接部と、
前記圧接部の下位置に延設されるとともに圧接用コネクタのハウジングの圧入部に圧入される絶縁体圧入部と、
前記絶縁体圧入部の下位置から下部に向けて突出される接触部とからなる圧接コンタクトにおいて、
前記接触部に適宜間隔を設けて前記絶縁体圧入部の下端部から突出され、前記圧接用コネクタにおける接触部収納用の凹部の底面に当該圧接コンタクトの実装時において当接する保持面を有してなる主保持部が突設されてなること、
を特徴とする圧接コンタクト。  
【請求項２】
主保持部は、圧接コンタクトを上下方向に置いた状態で、その形状が左右側方から見て上向きのコ字型になっていること、
を特徴とする請求項１に記載の圧接コンタクト。
【請求項３】
一対の圧接部における左右又は前後の方向で対向した内側面のそれぞれに、内倒れ防止用の突起部が設けられていること、
を特徴とする請求項１または２に記載の圧接コンタクト。
【請求項４】
請求項１〜請求項３のいずれか１項に記載の圧接コンタクトを、ハウジングに設けられた所望数のコンタクト用の圧入部に圧入し挿着してなること、
を特徴とする圧接用コネクタ。
【発明の詳細な説明】
【技術分野】
【０００１】
本発明は、圧接コンタクトの形状に係る構造と、その圧接コンタクトを使用した圧接用コネクタに関するものである。
【背景技術】
【０００２】
従来、圧接コンタクトは、例えば、図４に示す、圧接部１１ａが１枚の圧接コンタクト１１と、若しくは、図５に示すように、圧接部１２ａが２枚ある圧接コンタクト１２とがある。このうち、圧接コンタクト１２は、図５（Ａ）〜（Ｃ）に示すように、上からＶ字型の案内部を有するとともに対向する刃を有し圧接スロットに落とし込んで電気的接続がなされる圧接部１２ａと、圧接用コネクタのハウジング１３の圧入部に載置される絶縁体圧入部１２ｂ及び保持部１２ｃと、前記ハウジング１３の下方開口部から挿入されるコンタクトピンが挿着される接触部１２ｄとがあって、これら上下方向に同一軸上にある。また、圧接部が二つある他の従来技術として、特許文献１に記載されているように、信号用の電線とグランド用の電線を、それぞれの圧接部に圧接させたものが知られている。
【先行技術文献】
【特許文献】
【０００３】
【特許文献１】特開平０８−２９３３３２号公報
【発明の概要】
【発明が解決しようとする課題】
【０００４】
しかし、従来の圧接コンタクト１２においては、圧接時の負荷を、圧入部の底面若しくはコの字に曲げた側壁底面で受けているが、保持部１２ｃにおいて十分な保持面が確保できないとき、圧接の負荷により、圧接軸ａ方向に前記圧接コンタクト１２が移動して、接触部１２ｄの先端部がハウジング１３とに干渉してしまい、前記圧接コンタクト１２が雄コンタクトと接触しないおそれがある。また、図５（Ｃ）に示すように、圧接時の負荷によって圧入部が内側に倒されてしまうおそれもある。本発明に係る圧接コンタクトと圧接用コネクタとは、このような課題を解決するために提案されたものである。
【課題を解決するための手段】
【０００５】
本発明に係る圧接コンタクトの上記課題を解決して目的を達成するための要旨は、一対の圧接用刃が並設されている圧接部と、前記圧接部の下位置に延設されるとともに圧接用コネクタのハウジングの圧入部に圧入される絶縁体圧入部と、前記絶縁体圧入部の下位置から下部に向けて突出される接触部とからなる圧接コンタクトにおいて、前記接触部に適宜間隔を設けて前記絶縁体圧入部の下端部から突出され、前記圧接用コネクタにおける接触部収納用の凹部の底面に当該圧接コンタクトの実装時において当接する保持面を有してなる主保持部が突設されてなることである。
【０００６】
前記主保持部は、圧接コンタクトを上下方向に置いた状態で、その形状が左右側方から見て上向きのコ字型になっていることである。
【０００７】
また、前記一対の圧接部における左右又は前後の方向で対向した内側面のそれぞれに、内倒れ防止用の突起部が設けられていることを含むものである。
【０００８】
本発明に係る圧接用コネクタの上記課題を解決して目的を達成するための要旨は、上記本発明に係る圧接コンタクトを、ハウジングに設けられた所望数のコンタクト用の圧入部に圧入し挿着してなることである。
【発明の効果】
【０００９】
本発明の圧接コンタクトと圧接用コネクタによれば、圧接コンタクトの圧入時の負荷によって圧入軸の方向に圧接コンタクトが移動しても、前記主保持部の保持面で行き止まり、圧接コンタクトの接触部が圧接用コネクタの絶縁体に当接するなどの干渉がなくなり、確実な電気的接続を実現できるものとなる。
また、前記突起部が設けられたことで、コネクタとの接触の際、圧接用のケーブルハウジングに押さえられて、圧接コンタクトの圧接部が内倒れするのを防止する。それにより、圧接コンタクトの圧接部へのダメージを低減させることができる、と言う優れた効果を奏するものである。
【図面の簡単な説明】
【００１０】
【図１−Ａ】本発明に係る圧接コンタクト１の斜視図である。
【図１−Ｂ】同本発明に係る圧接コンタクト１の正面図（Ａ）、平面図（Ｂ）、側面図（Ｃ）である。
【図２】同本発明の圧接コンタクト１を装着した圧接用コネクタ２の使用状態の正面図である。
【図３】図２におけるＡ−Ａ線に沿った断面図である。
【図４】従来例に係るもので、圧接部が１枚の圧接コンタクト１１の、正面図（Ａ）、側面図（Ｂ）、キャリアに接続されている状態の説明用正面図（Ｃ）である。
【図５】従来例に係るもので、圧接部が１対で対向配置にされてなる圧接コネクタ１２の、正面図（Ａ）、平面図（Ｂ）、側面図（Ｃ）である。
【発明を実施するための形態】
【００１１】
本発明に係る圧接コンタクト１は、図１−Ａに示すように、圧接時の負荷を確実に受けることで、コンタクトの確実な接続を図る第２の保持面である主保持部１ａを設けたことである。また、その圧入時の変形による圧接部の内倒れを防止する突起部１ｂを設けるものである。
【実施例１】
【００１２】
本発明に係る圧接コンタクト１は、図１−Ａ及び図１−Ｂに示すように、 全体が金属製の薄板で形成され、一対の圧接用刃１ｃが並設されている圧接部１ｄと、前記圧接部１ｄの下位置に延設されるとともに、圧接用コネクタ２（図３参照）のハウジング２ａの圧入部２ｂに圧入される絶縁体圧入部１ｅと、前記絶縁体圧入部１ｅの下位置から下部に向けて突出されるコンタクト片である接触部１ｆとからなる。
【００１３】
そして、前記接触部１ｆに沿って適宜間隔１ｇを設けて前記絶縁体圧入部１ｅの下端部から突出され、前記圧接用コネクタ２（図３参照）における接触部収納用の凹部２ｃの底面２ｄ（図３参照）に当該圧接コンタクト１の実装時において当接する保持面（底面）１ａａを有してなる主保持部１ａが突設されている。
【００１４】
前記主保持部１ａは、図１−Ｂ（Ｃ）に示すように、圧接コンタクト１を上下方向に置いた状態で、その形状が左右側方から見て上向きのコ字型になっている。
【００１５】
更に、前記一対の圧接部１ｄにおける左右又は前後の方向で対向した内側面のそれぞれに、内倒れ防止用の突起部１ｂが設けられている。
【００１６】
この圧接コンタクト１は、従来の圧接コンタクトに対して、絶縁体圧入部１ｅの下部に第１の保持面である従保持部１ｈが有るが、更に、この絶縁体圧入部１ｅから下に延接して、上コ字型の主保持部１ａを設けたものである。
【００１７】
前記主保持部１ａが、図２乃至図３に示すように、圧接用コネクタ２に装着されると、凹部２ｃの底面２ｄに前記主保持部１ａの底面である第２の保持面１ａａが当接する。この保持面１ａａが、第２の保持面となる。
【００１８】
上下方向に圧接コンタクト１を置いた場合に、一対の前後方向に対向する絶縁体圧入部１ｅから下に延設された部分の先端部から主保持部１ａが、前後方向に所望の幅で架設されて一体に支持されているので、上下方向の圧入力に強く抵抗するものである。
【００１９】
前記主保持部１ａの保持面１ａａ（第２の保持面）と、前記絶縁体圧入部１ｅの従保持部１ｈ（第１の保持面）との関係は、前記第２の保持面１ａａが先に凹部２ｃの底面２ｄに当接し、これと同時かやや遅れて前記第１の保持面１ｈがハウジング２ａの圧入部２ｂにおける底面に当接するように設定される。よって、上下方向の押圧力が加わっても、先に、第１の保持面である従保持部１ｈが前記圧入部２ｂの底面に当接することは無い。
【００２０】
また、前記突起部１ｂは、ケーブル（図示せず）をケーブルハウジング（カバー）３に仮固定させ、圧接コンタクト１の圧接部１ｄに前記ケーブルを上から押圧して、当該ケーブルの外皮を破り圧接スポット１ｊに芯線を圧入・当接させた後、適合コネクタとの接触の際に、内倒れするのを防止するものであり、図３に示すように、圧接部収納空間３ａを形成する側壁に当接することで、内側に倒れるのを防止している。
【００２１】
前記突起部１ｂは、圧接コンタクト１の形成時において、例えば、ハーフパンチ等による金型で一括形成するものである。
【００２２】
このようにして本発明に係る圧接コンタクト１を形成し、ハウジング２ａに設けられた所望数のコンタクト用の圧入部２ｂに圧入し挿着して、本発明に係る圧接用コネクタ２を形成するもので有る。このような圧接用コネクタ２は、例えば、ネットワークの中継圧接用コネクタとして、使用されるものである。
【産業上の利用可能性】
【００２３】
本発明に係る圧接コンタクトおよび圧接用コネクタは、圧接部を２つ持った信号用若しくは電源用の圧接コンタクトや圧接用コネクタとして使用できるものである。
【符号の説明】
【００２４】
１          圧接コンタクト、          １ａ      主保持部、
１ａａ      保持面（底面）、
１ｂ        突起部、                  １ｃ      圧接用刃、
１ｄ        圧接部、                  １ｅ      絶縁体圧入部、
１ｆ        接触部、                  １ｇ      間隔、
１ｈ        従保持部、                １ｊ      圧接スポット、
２          圧接用コネクタ、          ２ａ      ハウジング、
２ｂ        圧入部、                  ２ｃ      凹部、
２ｄ        底面、
３          ケーブルハウジング、      ３ａ      圧接部収納空間、
１１        圧接コンタクト、          １１ａ        圧接部、
１２        圧接コンタクト、          １２ａ        圧接部、
１２ｂ      絶縁体圧入部、            １２ｃ        保持部、
１２ｄ      接触部。
【図１−Ａ】
2014203568.tif 000003
【図１−Ｂ】
2014203568.tif 000004
【図２】
2014203568.tif 000005
【図３】
2014203568.tif 000006
【図４】
2014203568.tif 000007
【図５】
2014203568.tif 000008